(57)【要約】【課題】手動で防火戸を閉めることが出来、既存のドアチェックに組み立てられることも出来るガードレール式防火戸自動釈放器を提供する。【解決手段】防火戸上のドアチェックや閉門器の相対位置に設置され、コンロッドを利用してドアチェックや閉門器に連結され、本体の上端の長手方向にガードレール収納室が形成され、ガードレール収納室の両側壁に相対して、それぞれシュートが設けられ、ガードレール収納室内において、防火戸の予めに設定された開き角度の位置に相対的に電磁石ケージング装置が設置され、それらのシュートにスライダが嵌設され、その一側がコンロッドに連結され、電磁石ケージング装置に通電される時、コンロッドがドアチェックにより連動され、摺動ストローク上を摺動する電磁石ケージング装置が制限されるため、スライダが制限され、防火戸が開かれる角度がケージングされ、火災の時、自動的に電源が切れると同時に防火戸を閉める。【選択図】図４
0003144299.tif 000002
【実用新案登録請求の範囲】
【請求項１】
防火戸上のドアチェックに対応して設置され、一端がドアチェックにロックされるコンロッドのもう一端に連結されるガードレール式防火戸自動釈放器であって、主として、
上端の長手方向に、ガードレール収納室が形成され、ガードレール収納室に対応する両側壁に、それぞれ、シュートが設けられる本体と、
前記本体のガードレール収納室内に設けられ、また、上記防火戸に予めに設定された開き角度位置に固定され、主として、内部に設けられたケージングユニットを制御し、通電すると、ケージングユニットを作動して、防火戸の開き角度をケージングし、火災により電源が切れると、釈放する電磁弁ユニットを有する電磁石ケージング装置と、
両側が、相対的に、前記本体のそれらのシュートに嵌設され、一側に、該コンロッドに連結する連結柱が突出し、摺動可能にそれらのシュートに設置され、また、電磁石ケージング装置のケージングユニットにより、その摺動ストロークがケージングされるスライダと、
本体の上端に設けられ、前記のスライダの連結柱側に、コンロッドにより上記スライダが連動されて該摺動ストロークに沿って摺動する摺動長槽が設けられる蓋体と、が含有されることを特徴とするガードレール式防火戸自動釈放器。
【請求項２】
電磁石ケージング装置の電磁弁ユニットは、一端に、上記防火戸に隣り合う側壁に埋め込まれた配管装置に接続される電源端が設けられる電磁弁を有し、上記電磁弁の下端に、順に作動シートと補助抵当シートが設けられ、電磁弁ユニットは、中心に、ケージング孔が貫設され、電磁弁と作動シートの間において、ケージング孔に対応するように、伸縮バネとその上端にある定位逆止ヘッドとが含まれるケージングユニットが設けられることを特徴とする請求項１に記載のガードレール式防火戸自動釈放器。
【請求項３】
定位逆止ヘッドの該スライダを抵当する端面が、傾斜の面取りであり、もう一端が、上記面取りの斜度より傾斜するケージング面であることを特徴とする請求項２に記載のガードレール式防火戸自動釈放器。
【請求項４】
電磁石ケージング装置は、一側に、上記防火戸の予めに設定された開き角度位置に固定されるように、該本体のガードレール収納室内にロックされるためのロック穴が設けられることを特徴とする請求項１に記載のガードレール式防火戸自動釈放器。
【考案の詳細な説明】
【技術分野】
【０００１】
本考案は、防火戸釈放器に関し、特に、ガードレール式防火戸自動釈放器に関する。
【背景技術】
【０００２】
図１は、従来の防火戸１は、一側に、上記釈放器が設けられ、上記釈放器包含一閉鎖本体２と留め金３、上記閉鎖本体２の配管と配管ラインが、予めに上記防火戸１が開かれた時の後方に位置する壁面４に埋めこなれ、上記留め金３が、防火戸１の上記閉鎖本体２に対応する位置に固定され、上記閉鎖本体２により、上記留め金３がロックされ、防火戸１が開かれる時、上記閉鎖本体２で防火戸１上の留め金３をロックして、防火戸が、所定の角度に開かれて固定され、火災の時、火災配電盤により、上記閉鎖本体２に給電することにより、上記留め金３から脱離して、防火戸１が釈放されて閉まられ、これにより、火災現場を隔離でき、その拡散時間を遅延して現場から逃げるチャンスが向上される。しかしながら、従来の防火戸は、釈放器閉鎖本体２と留め金３が、別々に、実装されるため、以下の欠点が残される。
【０００３】
１、上記閉鎖本体２と留め金３は、それぞれ、実装され、また、防火戸１の実装位置と壁面の距離や角度とを合わせることが必要であるため、その位置あわせが容易ではない。
【０００４】
２、上記閉鎖本体２の配管に、予めに配管ラインを埋め込むことが必要であるため、埋め込まれた位置が正しくないため、それを変更しなければならなく、工事をやり直すことにより、コストが高くなり、また、壁面が亀裂になり、そして、防火戸１と壁面４の距離が、５cm以上（７０％以上の場合、それを超える）である時、上記閉鎖本体２が、壁面４から突出し、壁面４の美観に悪影響を与える。
【０００５】
３、上記閉鎖本体２と留め金３は、防火戸１自身が、長期に使用されることにより下へ垂れ落ち、そのため、正確に位置合わせが出来なく、上記閉鎖本体２と留め金３との係合が容易ではない。
【０００６】
４、防火戸１の裏に、壁面４がない時、上記釈放器を実装することが出来なく、他に、図２は、従来の常開式防火戸釈放器の斜視図であり、上記釈放器は、本体５と電磁弁６及び支持シート７を備え、本体５は、予めに配管ラインが上記防火戸１の上端に隣り合う壁面４に埋め込まれ、電磁弁６は、防火戸１の上端側に設けられ、もう一端が、本体５内の配管ラインに連結され、電磁石６に給電し、支持シート７の一端が、防火戸１の一端のコンロッド８に連結され、また、電磁弁８に対応するように位置し、上記の設計によると、上記釈放器が、本体５から露出するため、前記の従来問題点のように、美観を失い、そのため、既存の市販防火戸釈放器の構造は、実用的とは言えない。
【０００７】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００８】
本考案の目的は、前記の一般の防火戸上のドアチェックの上端に対応するように設置され、既存のドアチェックの一端にロックされたコンロッドのもう一端に連結され、既存の建物を改築する時、工程が簡単で、ドアチェックを交換しなくても済み、従来の別々に設置する欠点を改善でき、実装工程が容易で、また、美観であるガードレール式防火戸自動釈放器を提供する。
【課題を解決するための手段】
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
図３ないし図４を参照しながら、本実施例において、上記自動釈放器は、主として、本体１０や電磁石ケージング装置２０、スライダ３０及び蓋体４０からなる。
【００１１】
図４のように、該本体１０は、矩形体で、上端の長手方向に、上へ向かう開口が形成されるほぼＵ形状のガードレール収納室１１が設けられ、該ガードレール収納室１１内の上端の長手方向に対応する両側壁に、それぞれ、シュート１２が設けられ、それらのシュート１２が、それぞれ、横方向に設置されるＬ形長条体であり、また、該ガードレール収納室１１内において、それらのシュート１２に対応して、下方において、長手方向の両側端に、それぞれ、長ガードレール１３が設けられ、また、本体１０において、ガードレール収納室１１の短軸方向の両側にある開口端に対応して、それぞれ、エンド蓋１４が設けられる。
【００１２】
図５乃至図６Ａを参照しながら、それぞれ、本考案の電磁石ケージング装置分解図と釈放器及びドアチェックが防火戸に組み立てられる時、釈放器の局部動作の概念図であり、電磁石ケージング装置２０が、本体１０のガードレール収納室１１の長ガードレール１３の下端内に設けられ、該ガードレール収納室１１内において、それらの長ガードレール１３を自在に摺動可能、また、防火戸が、予めに設定された開き角度の位置に固定され、主として、内部にケージングユニット２２が設けられる電磁弁ユニット２１を有し、電磁弁ユニット２１の一側に、ロック穴２１１が形成され、ロック体２１２が、該ロック穴２１１に貫通して、本体１０のガードレール収納室１１内にロックされ、また、防火戸の予めに設定された開き角度に位置し、これにより、該電磁石ケージング装置２０が定位され、また、電磁弁ユニット２１が電磁弁２３を有し、該電磁弁２３の一端に、上記防火戸に隣り合う側壁上に埋め込まれた配管装置に接続される電源端２３１が設置され、それにより、電源が供給され、電磁弁２３の下端に、順に作動シート２４と補助抵当シート２５が設けられ、作動シート２４が、鋼板であり、該補助抵当シート２５が、弾条片であり、該電磁弁２３の中心に、ケージング孔２６が貫設され、作動シート２４が、ケージング孔２６に対応する箇所に、口径が小さい貫通穴２４１が形成され、電磁弁２３と作動シート２４の間において、ケージング孔２６と貫通穴２４１に対応する位置に、伸縮バネ２２１を有するケージングユニット２２が設けられ、該伸縮バネ２２１の上端に、定位逆止ヘッド２２２が設けられ、定位逆止ヘッド２２２に、防火戸の移動方向に対応するように傾斜の面取り２２３ａが設けられ、もう一端が、面取り２２３ａより傾斜であるケージング面２２３ｂになり、定位逆止ヘッド２２２に、貫通穴２４１に対応するように、組立て端２２４が設けられ、該貫通穴２４１に貫通してＣ形状クリップ２２５により定位され、電磁弁２３と作動シート２４との間に、所定のギャップが保持され、通電する時、作動シート２４が、電磁弁２１へトリガーされ、補助抵当シート２５により補助されて作動シート２４を付勢し、伸縮バネ２２１により、該定位逆止ヘッド２２２がケージング孔２６の上端から突出するように抵当され、ケージング防火戸１００が、ある角度に開かれるようになる。
【００１３】
図４のように、スライダ３０の両側が、前記本体１０のそれらのシュート１２に嵌設され、また、逆止ヘッド２２２の面取り２２３端に定位され、スライダ３０両側に、それらのシュート１２に対向するように、それぞれ、対応する長凹槽３１が設けられ、これにより、該スライダ３０が、それらのシュート１２上に嵌設されて、それらのシュート１２上を摺動でき、該スライダ３０の本体１０の長手方向に対向する一側に、コンロッド２０１の一端が連結される連結柱３２が突出し、これにより、スライダ３０が、ドアチェック１００により該コンロッド２０１のもう一端に連結され、そして、電磁石ケージング装置２０により摺動ストロークｂが、定位逆止ヘッド２２２の傾斜する面取り２２３にケージングされる。  
【００１４】
蓋体４０は、本体１０の上端に設けられ、前記のスライダ２０の連結柱３２に対応する側に、コンロッド２０１により、スライダ３０が、摺動ストロークｂに沿って摺動する摺動長槽４１が設けられ、また、電磁弁２３の電源端２３１が、ここから突出して外部の電源に連結される。
【００１５】
以下、本考案の構造特徴や技術手段及び予期の効果について、実施例を挙げて、詳しく説明する。
【００１６】
図６Ａ乃至図６Ｂのように、本実施例において、自動釈放器を、既存の防火戸１００上に設けられるドアチェック２００のコンロッド２０１のもう一端に連結し、また、該ドアチェック２００の上端に設置される防火戸１００の戸枠１０１において、ドアチェック２００によりコンロッド２０１が連動されて自動釈放器を作動し、これにより、該電磁弁２３の電源端２３１が、直接に、防火戸１００の戸枠１０１内の回路に連結されて、電源が供給され、日常に通電する時、防火戸１００が開かれ、ドアチェック２００により、コンロッド２０１が連動されて、スライダ３０が、該摺動ストロークａに沿って変位し、同時に、作動シート２４が、下へトリガーされ、電磁弁２３が、伸縮バネ２２１に抵当して、ケージングユニット２２の定位逆止ヘッド２２２が、ケージング孔２６に沿って、上下軸方向に運動して、ケージング孔２６から突出し、コンロッド２０１により、スライダ３０が、連動されて定位逆止ヘッド２２２の面取り２２３に抵当すると、定位逆止ヘッド２２２により抵伸縮バネ２２１が下へ押され、スライダ３０が、再び、定位逆止ヘッド２２２のもう一端にある面取り２２３ａより傾斜であるケージング面２２３ｂに抵当し、これにより、該スライダ３０が、元の位置に摺動しなく、定位逆止ヘッド２２２によりケージングされ、図７は、釈放器とドアチェックが防火戸に設けられた時の防火戸が所定の角度に開かれる時の斜視図であり、防火戸１００が、予めに設定された開き角度に定位され、そのため、防火戸１００が、常に開く状態に保持される。
【００１７】
図８と図９を参照しながら、火災の時、電磁弁２３が、通電されない状態になり、作動シート２４が、上へ向かって電磁弁２３をトリガーしなく、即ち、ケージングユニット２２が釈放されて、スライダ３０が、逆止ヘッド２２２によりケージングされて定位されなく、自動に摺動して防火戸１００が閉まられる。
【００１８】
日常に通電される時、防火戸１００を閉める場合、力を込めて上記防火戸１００を閉め、スライダ３０が、定位逆止ヘッド２２２の面取り２２３ａに抵当されて、定位逆止ヘッド２２２が、下へ伸縮バネ２２１を押さえ、これにより、瞬間に、スライダ３０が、定位逆止ヘッド２２２により抵当され、手動で、防火戸１００を閉めることが出来る。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】従来の常開式防火戸の釈放器が防火戸に設置された時の斜視図
【図２】他の従来の常開式防火戸が防火戸に設置された釈放器の斜視図
【図３】本考案の釈放器の斜視図
【図４】図考案の釈放器部分分解図
【図５】本考案の釈放器の電磁石ケージング装置の分解図
【図６Ａ】本考案の釈放器とドアチェックが防火戸に設置された時の上記防火戸が開かれた時の釈放器のスライダが摺動する場合の局部動作の概念図
【図６Ｂ】本考案の釈放器とドアチェックが防火戸に設置された時の防火戸が上記釈放器の抵当所定の角度に開かれた場合の局部動作の概念図
【図７】本考案の釈放器とドアチェックが防火戸に設置される時の防火戸が所定の角度に開かれる場合の斜視図
【図８】本考案の釈放器とドアチェックが防火戸に設置される時の釈放器電源が切れる場合の使用概念図
【図９】本考案の釈放器とドアチェックが防火戸に設置される時の防火戸が閉められる場合の斜視図
【符号の説明】
【００２２】
１        防火戸
１０      本体
１００    防火戸
１０１    戸枠
１１      ガードレール収納室
１２      シュート
１３      長ガードレール
１４      エンド蓋
２        閉鎖本体
２０      電磁石ケージング装置
２００    ドアチェック
２０１    コンロッド
２１      電磁弁ユニット
２１１    ロック穴
２１２    ロック体
２２      ケージングユニット
２２１    伸縮バネ
２２２    定位逆止ヘッド
２２３ａ  面取り
２２３ｂ  ケージング面
２２４    組立て端
２２５    Ｃ形状クリップ
２３      電磁弁
２３１    電源端
２４      作動シート
２４１    貫通穴
２５      補助抵当シート
２６      ケージング孔
３        留め金
３０      スライダ
３１      長凹槽
３２      連結柱
４        壁面
４０      蓋体
４１      摺動長槽
５        本体
６        電磁弁
７        支持シート
８        コンロッド
ａ        摺動ストローク
【図１】
0003144299.tif 000003
【図２】
0003144299.tif 000004
【図３】
0003144299.tif 000005
【図４】
0003144299.tif 000006
【図５】
0003144299.tif 000007
【図６Ａ】
0003144299.tif 000008
【図６Ｂ】
0003144299.tif 000009
【図７】
0003144299.tif 000010
【図８】
0003144299.tif 000011
【図９】
0003144299.tif 000012